(57)【特許請求の範囲】
【請求項１】
化粧料の販売促進のために用いられる販売促進用ツールであって、正面に２つ並んだ開口が形成された枠体と、上記２つの開口にそれぞれ一体的に取り付けられる２枚の肌色半透明シートと、上記２枚の肌色半透明シートの裏側に、それぞれスライド自在に取り付けられる２個のスライド片とを備え、上記２枚の肌色半透明シートのうち、一方の肌色半透明シートは、所定の赤味を帯びた肌色に着色されているとともに所定厚みを有し、開口に取り付けられた状態で顔以外の皮膚の肌色を見せるようになっており、他方の肌色半透明シートは、上記肌色半透明シートより赤味が少なく薄い厚みに設定され、開口に取り付けられた状態で顔の皮膚の肌色を見せるようになっており、上記２個のスライド片の、それぞれ肌色半透明シート裏面に対峙する面には、互いに色の異なる少なくとも２つの着色部が設けられ、上記各スライド片をスライドさせることにより、各着色部を、交互に肌色半透明シートの裏側に位置決めすることができるようになっており、枠体正面の２つの開口から見える各肌色半透明シートの肌色が、それぞれの裏側に位置決めされる着色部の色によって、色味の異なる肌色に変化するようになっていることを特徴とする販売促進用ツール。
【請求項２】
化粧料の販売促進のために用いられる販売促進用ツールであって、正面に２つ並んだ開口が形成された枠体と、上記２つの開口にそれぞれ一体的に取り付けられる２枚の肌色半透明シートと、上記２枚の肌色半透明シートの裏側にそれぞれ配設され、各肌色半透明シート裏面に対峙する面に着色部が設けられた２個の着色片と、上記各着色片と肌色半透明シートとの間に、それぞれスライド自在に取り付けられる２個のスライド片とを備え、上記各スライド片のスライド動作により、上記着色片の着色部が上記スライド片で遮断される場合と、上記着色片の着色部が肌色半透明シートと直接重なる場合とで、枠体正面の２つの開口から見える各肌色半透明シートの色が、互いに色味の異なる肌色に変化するようになっていることを特徴とする販売促進用ツール。
【発明の詳細な説明】
【０００１】
【発明の属する技術分野】
本発明は、店頭等において商品の販売促進に用いられる販売促進用ツールに関するものである。
【０００２】
【従来の技術】
従来から、化粧品販売では、専門の販売員が、店頭あるいは訪問販売先で、化粧品メーカーから配布された化粧品販売促進用のシートにもとづいて、顧客に化粧品の売り込みを行っている。上記販売促進用シートとしては、通常、長方形の厚紙もしくは薄いプラスチック板からなるシートの表面に、化粧品の種類やその使用方法、肌の状態の模式図等を印刷したものが用いられており、販売員は、このシートを顧客に提示しながら、顧客に対するカウンセリングやアドバイス、具体的な化粧品の推奨等を行っている。
【０００３】
【発明が解決しようとする課題】
しかしながら、上記販売促進用シートでは、一枚のシート表面に、商品である化粧品の外観写真と、その使用による効果を示す模式図等が、並べて表示されているにすぎないため、顧客に対し一方的な説明となりがちで、顧客にとって興味がそがれやすい。また、セルフ志向の顧客は、販売員とやりとりすることなく、化粧品に関する情報を、店頭でわかりやすく把握できるような情報ツールを望んでいる。
【０００４】
本発明は、このような事情に鑑みなされたもので、黄ばみや濁りといった、肌の色の微妙な変化を顧客に印象的に提示することのできる、優れた販売促進用ツールの提供をその目的とする。
【０００５】
【課題を解決するための手段】
上記の目的を達成するため、本発明は、化粧料の販売促進のために用いられる販売促進用ツールであって、正面に２つ並んだ開口が形成された枠体と、上記２つの開口にそれぞれ一体的に取り付けられる２枚の肌色半透明シートと、上記２枚の肌色半透明シートの裏側に、それぞれスライド自在に取り付けられる２個のスライド片とを備え、上記２枚の肌色半透明シートのうち、一方の肌色半透明シートは、所定の赤味を帯びた肌色に着色されているとともに所定厚みを有し、開口に取り付けられた状態で顔以外の皮膚の肌色を見せるようになっており、他方の肌色半透明シートは、上記肌色半透明シートより赤味が少なく薄い厚みに設定され、開口に取り付けられた状態で顔の皮膚の肌色を見せるようになっており、上記２個のスライド片の、それぞれ肌色半透明シート裏面に対峙する面には、互いに色の異なる少なくとも２つの着色部が設けられ、上記各スライド片をスライドさせることにより、各着色部を、交互に肌色半透明シートの裏側に位置決めすることができるようになっており、枠体正面の２つの開口から見える各肌色半透明シートの肌色が、それぞれの裏側に位置決めされる着色部の色によって、色味の異なる肌色に変化するようになっている販売促進用ツールを第１の要旨とする。
【０００６】
また、本発明は、化粧料の販売促進のために用いられる販売促進用ツールであって、正面に２つ並んだ開口が形成された枠体と、上記２つの開口にそれぞれ一体的に取り付けられる２枚の肌色半透明シートと、上記２枚の肌色半透明シートの裏側にそれぞれ配設され、各肌色半透明シート裏面に対峙する面に着色部が設けられた２個の着色片と、上記各着色片と肌色半透明シートとの間に、それぞれスライド自在に取り付けられる２個のスライド片とを備え、上記各スライド片のスライド動作により、上記着色片の着色部が上記スライド片で遮断される場合と、上記着色片の着色部が肌色半透明シートと直接重なる場合とで、枠体正面の２つの開口から見える各肌色半透明シートの色が、互いに色味の異なる肌色に変化するようになっている販売促進用ツールを第２の要旨とする。
【０００７】
【発明の実施の形態】
つぎに、本発明の実施の形態について詳細に説明する。
【０００８】
図１は、本発明の販売促進用ツールの一実施の形態を示している。この販売促進用ツールは、厚紙を平たい箱状に組み立ててなる枠体１と、この枠体１の向かって右側面部１ａに形成された２つの切欠き２，３にそれぞれ差し込まれて左右方向にスライド自在に保持されるスライド片４，５とを備えている。また、上記枠体１の正面部２０には、上下に並ぶ２つの開口６，７が形成されており、それぞれの開口６，７に、内側から、肌色半透明シート８，９が取り付けられている。
【０００９】
上記肌色半透明シート８，９は、ともに、半透明の高分子製軟質シート（例えばポリウレタン製）で構成されているが、肌色半透明シート８は、厚みが１．５ｍｍで、やや赤みを帯びた肌色に着色されている。そして、肌色半透明シート９は、厚みが０．５ｍｍで、上記肌色半透明シート８よりも赤みの少ない肌色に着色されている。
【００１０】
そして、上段の開口６の上縁部には、図２に示すように、「顔以外の皮膚」という見出し１０が表示されており、下段の開口７の下縁部には、「顔の皮膚」という見出し１１が表示されている。また、開口６の内側でスライドするスライド片４と、開口７の内側でスライドするスライド片５の、それぞれ右側に突出する引出し部４ａ，５ａには、「普通の肌」という見出し１２，１３が表示されている。したがって、上記上段の開口６に取り付けられた肌色半透明シート８の、この状態で見える色は、顔以外の皮膚の、標準的な普通の肌色を示し、上記下段の開口７に取り付けられた肌色半透明シート９の、この状態で見える色は、顔の皮膚の、標準的な普通の肌色を示していることがわかる。
【００１１】
なお、上記上段の開口６の左側には、「ルシエル」という文字１４が大きく表示されており、下段の開口７の左側には、「あなたも始めませんか？  にごり対策」というキャッチフレーズ１５が表示されている。上記「ルシエル」は、この販売促進用ツールによって推奨する化粧料のシリーズ名である。
【００１２】
また、上記上段の開口６と下段の開口７の右側には、「右へ引き出してください。」の説明文１６が表示されており、右側に突出したスライド片４，５が引出し可能であることを示す矢印１７が表示されている。
【００１３】
つぎに、上記枠体１の正面部２０を手前に開いた状態を図３（ａ）に示す。図において、２１，２２は、上記正面部２０の上下の端縁に、平面部および底面部を介して延設された折り返し片で、これらは、二重に形成された背面部２３の上下の端縁に差し込み保持されるようになっている。すなわち、背面部２３は、図３（ａ）のＡ−Ａ′断面図である図３（ｂ）に示すように、正面部２０から、側面部２４を介して延びる背面形成用の面２３ａと、その内側に、接着剤層２５を介して中央領域でのみ接合される厚紙製のガイド板２３ｂとで構成されている。したがって、上記面２３ａとガイド板２３ｂとの間に形成される上下の隙間に、矢印で示すように、前記折り返し片２１，２２を差し込むことができるようになっている。
【００１４】
また、上記背面部２３を構成するガイド板２３ｂの、正面部２０と対峙する側の面には、上下２段に並ぶスライド片４，５が左右方向に平行にスライドすることをガイドするための、上下３本のガイド突条２６〜２８が設けられている。なお、中央のガイド突条２６は、背面部２３の幅方向全域にわたって設けられており、上下のガイド突条２７，２８は、背面部２３の右端から左側に向かって、部分的に設けられている。
【００１５】
そして、上段のスライド片４は、鎖線で示すような外形をしており、下段のスライド片５は、これを上下方向に裏返した外形をしており、それぞれに設けられた段差部４ｂ，５ｂが、上下のガイド突条２７，２８の左端縁に当たって、右方向への抜け止めがなされるようになっている。
【００１６】
さらに、上下のスライド片４，５の、正面部２０の開口６，７と対峙する部分は、ともに白色であるが、それぞれ、その左側の所定の位置に、黄色に着色された第１の着色部２９と、灰色に着色された第２の着色部３０とが設けられている。
【００１７】
したがって、上記スライド片４，５を、ともに右側にスライドさせ、その段差部４ｂ，５ｂが上下のガイド突条２７，２８に当たるまで引き出すと、図４に示すように、上記第１の着色部２９と、第２の着色部３０が、それぞれ、正面部２０に形成された開口６，７の左半分の場所に位置決めされるようになる。このため、上記第１の着色部２９と重なる部分の肌色半透明シート８，９の色は、やや黄みがかった肌色となり、上記第２の着色部３０と重なる部分の肌色半透明シート８，９の色は、やや黒ずんだ、濁った肌色となる。なお、「顔以外の皮膚」を示す肌色半透明シート８（図２参照）に比べて、「顔の皮膚」を示す肌色半透明シート９は、シートの厚みが薄く、赤みの少ない肌色に設定されているため、上記着色部２９，３０と重なった場合に、その影響を強く受け、色味の変化がより大きく表われるようになっている。
【００１８】
このように、肌色半透明シート８，９の裏側に、特定の色を配した着色部２９，３０を重ねて、肌色の変化を示すようにしたのは、異なる肌色の着色部を別々に設けて、これらを交互に見せるよりも、この方が、肌色の微妙な変化をリアルに表現することができるからである。
【００１９】
そして、上記スライド片４，５を右側に引き出した状態（図４に戻る）において、引き出された引出し部４ａ，５ａには、開口６，７から見える肌色半透明シート８，９の色の変化を説明するために、その色の変化部の配置と同じ配置で、「きばみ」と「にごり」の文字３１，３２が表示されている。
【００２０】
上記構成の販売促進用ツールによれば、顔以外の皮膚の色と顔の皮膚の色が、濁ったり黄ばんだりすると、どのような色になるかが、その右側に設けられたスライド片４，５を引き出すことにより、一目でわかるようになっている。特に、上記の例では、開口６、７の、それぞれ右半分には、元の肌色（普通の肌色）が示されて、その左半分の上段に黄ばんだ肌色が、同じくその下段に濁った肌色が表示されるようになっているため、それぞれの肌色を対比して見せることができ、肌の色の衰えを、実感させることができる。
【００２１】
したがって、化粧品販売員は、上記販売促進用ツールを用い、顧客に、肌の色が衰えると、どんなに不健全な色になるかを実感させた上で、肌の黄ばみや濁りの防止に優れた効果を奏する化粧料シリーズを推奨することができる。また、セルフ方式で化粧料を販売する店舗において、推奨しようとする化粧料の陳列棚やその近傍に、上記販売促進用ツールを設置しておけば、顧客が、その正面部２０の表示に従ってスライド片４，５を右側に引き出すだけで、肌の色の変化が一目でわかるため、販売員の説明を受けることなく、顧客自身が肌の色の衰えを実感することができる。
【００２２】
なお、上記の例では、枠体１の正面部２０に、上下２段に開口６，７を設け、一方の開口７では、顔の皮膚の肌色を見せ、他方の開口６では、顔以外の皮膚の肌色を見せるようにしており、各開口６，７における微妙な肌色の差異を見せるために、肌色半透明シート８，９の色調と厚みを互いに異なるものにしているが、顔以外の皮膚の肌色を見せるための肌色半透明シート８を、色調の異なる２枚のシートの組み合わせにし、顔の皮膚の肌色を見せるための肌色半透明シート９として、上記２枚のシートのうちの片方を用いるようにすることもできる。
【００２３】
なお、スライド片４，５のスライドがスムーズに行われるよう、上記肌色半透明シート８，９を取り付けた正面部２０の内側面に、図３（ａ）において、鎖線Ｐで示すように、透明プラスチックシートを貼付するようにしてもよい。
【００２４】
さらに、上記の例では、スライド片４、５に、それぞれ色の異なる２つの着色部２９，３０を設けているが、着色部２９，３０は、必ずしも２つ設ける必要はなく、「きばみ」だけ、あるいは「にごり」だけを見せるように単一の着色部のみにしても差し支えない。ただし、スライド片４，５において、上記着色部２９，３０以外の部分は、白色であり、この部分を、肌色半透明シート８，９の内側で位置決めさせて、開口６，７から「普通の肌」の色を見せるのであり、上記白色部分も、いわば「着色部」である。したがって、上記白色部分を「着色部」とすれば、本発明では、色変化を見せるために、「少なくとも２つの着色部」が必要となる。もちろん、上記白色部分以外に、３つ以上の着色部を設けて、いろいろな肌色の変化を同時に見せることができるようにしても差し支えない。
【００２５】
そして、着色部２９，３０の色調も、上記に限らず、このツールによって見せようとする肌の変化に応じて、適宜に設定することができる。例えば、「ほてり」や「赤ら顔」に対し効果を奏する化粧料を推奨しようとする場合には、着色部２９，３０を、赤みの強い色調とし、「青白さ」や「しみ」、「そばかす」に対し効果を奏する化粧料を推奨しようとする場合には、肌色半透明シート８，９を通してそのような肌に見えるような色調（しみ、そばかすの場合にはそのような模様を付けた色調）とすることができる。
【００２６】
また、スライド片４，５をスライド保持する構造も、上記の例に限らず、適宜の構造にすることができる。
【００２７】
なお、上記の例では、肌色半透明シート８，９の内側でスライドさせるスライド片４，５自身に着色部２９，３０を設けたが、例えば、図５に示すように、上下のスライド片４，５には着色部２９，３０を設けず、背面部２３の内側面に着色部２９′，３０′を設け、常態では、その上をスライド片４′，５′で隠しておき、スライド片４′，５′を引き出すことにより着色部２９′，３０′を露出させて、開口６，７（図示せず）内の肌色半透明シート８，９の肌色を変化させるようにしても差し支えない。他の構成は、基本的に図３と同一であり、同一機能を備えた部分に同一番号を付してその説明を省略する。
【００２８】
なお、本発明の販売促進用ツールは、上記の例のように、厚紙を箱状に組み立てたものである必要はなく、例えば、プラスチック等で立体的なパネルにしても差し支えない。
【００２９】
【発明の効果】
以上のように、本発明の販売促進用ツールは、ツールに設けられた２個のスライド片をそれぞれスライドさせるだけで、顔の肌の色変化および顔以外の肌の色変化が一目でわかるようになっている。したがって、化粧品販売員は、上記販売促進用ツールを用い、顧客に、肌の色が衰えると、どんなに不健全な色になるかを実感させた上で、健全な肌色維持、あるいは肌色の改善に優れた効果を奏する化粧料シリーズを推奨することができる。また、セルフ方式で化粧料を販売する店舗において、推奨しようとする化粧料の陳列棚やその近傍に、上記販売促進用ツールを設置しておけば、顧客が、自分自身でスライド片をスライドさせることにより、上記２種類の肌の色の変化が一目でわかるため、販売員の説明を受けることなく肌の色の衰えを実感することができる。
【図面の簡単な説明】
【図１】  本発明の販売促進用ツールの一実施例を示す斜視図である。
【図２】  上記実施例の正面図である。
【図３】  （ａ）は上記実施例の正面部を開いた状態を示す説明図、（ｂ）はそのＡ−Ａ′断面図である。
【図４】  上記実施例において、スライド片を引き出した状態を示す正面図である。
【図５】  本発明の販売促進用ツールの他の実施例を示す部分的な説明図である。
【符号の説明】
１  枠体
４，５  スライド片
６，７  開口
８，９  肌色半透明シート
【図１】
0003650335.tif 000002
【図２】
0003650335.tif 000003
【図３】
0003650335.tif 000004
【図４】
0003650335.tif 000005
【図５】
0003650335.tif 000006